(57)【特許請求の範囲】
【請求項１】
複数の媒体を結束帯で施封して媒体束を作成する施封部と、
前記結束帯に対して記録情報の記録を行う記録部と、
操作者が、前記媒体の種別ごとに前記記録情報を設定する設定操作を行う操作部と、
前記設定操作に基づいて、前記記録部に対して前記記録情報を指定する制御部と、
前記媒体の種類及び正損状態を鑑別する鑑別部と、
を備え、
前記制御部は、
前記鑑別部の鑑別結果に基づいて、前記媒体束に含まれている損券の数を計数し、
計数結果と前記操作者によって前記操作部を用いて設定された設定値とを比較し、
前記設定操作と比較結果とに基づいて、前記記録部に対して前記記録情報を指定する、媒体整理装置。
【請求項２】
前記記録部は、前記記録情報に対応する、前記媒体束に損券が含まれていることを示す損券標識を、前記結束帯に押印することにより、前記記録情報を前記結束帯に記録する、請求項１に記載の媒体整理装置。
【発明の詳細な説明】
【技術分野】
【０００１】
本発明は、媒体整理装置に関する。
【背景技術】
【０００２】
金融機関や店舗等において、紙状媒体としての紙幣を金種（例えば、一万円券、５千円券等）ごとに分類し、計数し、さらに、同じ金種の紙幣を所定数（施封枚数）ごとに施封して、紙幣束（媒体束）を作成する紙幣整理装置（媒体整理装置）が利用されている。例えば、紙幣整理装置は、紙幣を取り込む取込部と、取り込まれた紙幣の金種（媒体の種類）及び正損状態（紙幣が正券又は損券かを判別する）を鑑別する鑑別部と、紙幣を金種ごとに集積する複数の集積部と、集積された紙幣を施封枚数ごとに結束帯で施封して、紙幣束を作成する施封部と、紙幣を紙幣整理装置内の各所へ搬送する搬送部と、鑑別部での鑑別結果に基づいて、紙幣を各集積部へ搬送するように搬送部を制御する制御部と、を主に有する。さらに詳細には、施封部は押印部を有しており、押印部は、紙幣の整理処理を行った金融機関の名称や、複数の損券を施封した紙幣束であることを示す標識（損券標識）等を、結束帯に押印する。このような紙幣整理装置の一例としては、下記の特許文献１が挙げられる。
【先行技術文献】
【特許文献】
【０００３】
【特許文献１】特開２０１４−２５８７号公報
【発明の概要】
【発明が解決しようとする課題】
【０００４】
従来の紙幣整理装置においては、紙幣束に損券が含まれている場合に、当該紙幣束の結束帯に当該紙幣束に損券が含まれている旨を示す損券標識を押印したいときには、操作者は紙幣整理処理を行う前に、損券を含む紙幣束の結束帯に損券標識を押印するように設定する設定操作を行う。しかしながら、上記設定は、紙幣の金種に関わらず、紙幣束に損券が含まれていれば結束帯に上記損券標識を押印するように設定するため、紙幣の金種ごとに、もしくは、金種及び正損状態の両方を加味して分類した種別ごとに（以下、紙幣の金種及び正損状態の両方を加味して紙幣を分類した種別を券種と呼ぶ）、上記損券標識を押印するか否かを選択することができない。したがって、紙幣の金種ごと、もしくは、紙幣の券種ごとに押印する標識を設定したい操作者にとっては、従来の紙幣整理装置は利便性の悪い装置であった。
【０００５】
そこで、本発明は、上記問題に鑑みてなされたものであり、本発明の目的とするところは、媒体の種別ごと（例えば、媒体が紙幣である場合には、紙幣の金種ごと、もしくは、紙幣の券種ごと（少なくとも紙幣の金種ごとには分類される））に結束帯に記録する記録情報を設定することができる、新規かつ改良された媒体整理装置を提供することにある。
【課題を解決するための手段】
【００１０】
上記課題を解決するために、本発明の他の観点によれば、複数の媒体を結束帯で施封して媒体束を作成する施封部と、前記結束帯に対して記録情報の記録を行う記録部と、操作者が、前記媒体の種別ごとに前記記録情報を設定する設定操作を行う操作部と、前記設定操作に基づいて、前記記録部に対して前記記録情報を指定する制御部と、前記媒体の種類及び正損状態を鑑別する鑑別部と、を備え、前記制御部は、前記鑑別部の鑑別結果に基づいて、前記媒体束に含まれている損券の数を計数し、計数結果と前記操作者によって前記操作部を用いて設定された設定値とを比較し、前記設定操作と比較結果とに基づいて、前記記録部に対して前記記録情報を指定する、媒体整理装置が提供される。
また、前記記録部は、前記記録情報に対応する、前記媒体束に損券が含まれていることを示す損券標識を、前記結束帯に押印することにより、前記記録情報を前記結束帯に記録してもよい。
【発明の効果】
【００１１】
以上説明したように本発明によれば、媒体の種別ごとに結束帯に記録する記録情報を設定することができる。
【図面の簡単な説明】
【００１２】
【図１】第１の実施形態に係る紙幣整理装置１０の基本構成を示した説明図である。
【図２】第１の実施形態に係る施封部１１４の断面図である。
【図３】第１の実施形態に係る紙幣整理装置１０における制御系のブロック図である。
【図４】第１の実施形態に係る処理方法のフローチャートである。
【図５】第１の実施形態に係る操作画面５０の一例（その１）である。
【図６】第１の実施形態に係る操作画面６０の一例（その２）である。
【図７】第２の実施形態に係る処理方法のフローチャート（その１）である。
【図８】第２の実施形態に係る処理方法のフローチャート（その２）である。
【図９】第２の実施形態に係る操作画面７０の一例である。
【発明を実施するための形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
以下の説明においては、金融機関や店舗等のバックヤードにおいて、紙幣を金種ごとに分類し、計数し、さらに施封枚数ごとに施封する紙幣整理装置に本発明の実施形態を適用した場合について説明する。なお、以下に説明する実施形態は、紙幣整理装置に適用することに限定されるものではなく、金融機関、店舗等で使用される取引装置や自動釣銭機等に適用してもよく、もしくは、店舗や公共施設等で、紙状媒体をその種類ごとに分類し、整理する機構を有する媒体整理装置に適用してもよい。そして、以下に説明する実施形態においては、媒体は紙幣に限定されるものではなく、紙状媒体であれば特に限定されない。
【００１５】
また、以下の説明においては、正券の紙幣束（媒体束）とは、正券（例えば、汚れが少ない紙幣）のみを施封して作成した紙幣束であり、損券の紙幣束とは、損券（例えば、汚れが多い紙幣）のみを施封して作成した紙幣束であり、さらに、指定券の紙幣束とは、上記正券及び損券の両方が混在する状態で複数の紙幣を施封して作成した紙幣束のことをいう。
【００１６】
＜＜第１の実施形態＞＞
＜紙幣整理装置１０＞
まずは、第１の実施形態に係る紙幣整理装置１０の構成について説明する。紙幣整理装置１０は、操作者により投入された例えば紙幣のような紙状媒体を整理するための装置であり、詳細には、投入された紙幣を鑑別し、計数し、得られた鑑別結果に基づいて紙幣を金種ごとに集積し、集積された紙幣を施封枚数ごとに施封する紙幣整理処理を行う。
【００１７】
まずは、紙幣整理装置１０の基本構成を示した説明図である図１、施封部１１４の基本構成を示した施封部１１４の断面図である図２、及び紙幣整理装置１０における制御系のブロック図である図３を参照して、紙幣整理装置１０の基本構成について説明する。なお、図１及び図２においては、紙幣整理装置１０の操作者は、紙幣整理装置１０の左側に位置するものとする。
【００１８】
本実施形態に係る紙幣整理装置１０は、図１に示すように、取込部１００、鑑別部１０２、リジェクトポケット１０４、オープンポケット１０６、表裏反転部１０８、集積部１１０、移送部１１２、施封部１１４、搬送部１１６、操作表示部１１８、操作部１２０、記憶部１２２、外部インターフェース部１２４、制御部１２６、及び扉１２８を主に有する。
【００１９】
（取込部１００）
取込部１００は、操作者と向かい合うように設けられ、操作者によって投入された複数の紙幣を取り込む部位である。取込部１００は、例えば、紙幣を収納する収納空間１５４と、ローラ１５０と、収納空間１５４からローラへ紙幣をガイドするガイド１５６と、紙幣をガイド１５６に押し当てるためのビルプレス１５８とを含む。収納空間１５４に投入された紙幣は、ビルプレス１５８によってガイド１５６に押し当てられ、ガイド１５６によってローラ１５０へ押し出され、ローラ１５０が回転することによって、搬送部１１６に一枚ずつ繰り出される。なお、取込部１００は、ビルプレス１５８の移動量を検知するセンサ（図示省略）等を有することによって、紙幣整理装置１０に投入された全ての紙幣の処理の完了（投入完了）を検知することができるように構成してもよい。
【００２０】
（鑑別部１０２）
鑑別部１０２には、その内部にＯＣＲ（Ｏｐｔｉｃａｌ  Ｃｈａｒｃｔｅｒ  Ｒｅｃｏｇｎｉｔｉｏｎ）といったイメージセンサや磁気センサといった真偽センサ等の複数種類のセンサ（図示省略）が組み込まれている。そして、鑑別部１０２は、取込部１００に投入され、鑑別部１０２に搬送された紙幣に対して、例えば紙幣の真偽、金種（紙幣の種類）、正券（例えば、汚れが少ない紙幣）であるか損券（例えば、汚れが多い紙幣）であるかといった紙幣の正損状態、鑑別時における紙幣の表裏の向きを鑑別することができ、その鑑別結果は、後述する記憶部１２２及び制御部１２６に出力される。さらに、鑑別部１０２は、紙幣に記載された記番号を読み取ることもでき、読み取った記番号と紐づけて、上記鑑別結果を記憶部１２２及び制御部１２６に出力してもよい。なお、鑑別部１０２により鑑別された紙幣は、鑑別部１０２から排出され、鑑別結果に基づいて搬送先（例えば各集積部１１０）に搬送される。
【００２１】
（リジェクトポケット１０４）
リジェクトポケット１０４は、本実施形態に係る紙幣排出部の一例である。リジェクトポケット１０４は、鑑別部１０２により金種不明もしくは受付不能と鑑別された紙幣を格納する部位である。図１に示した例においては、リジェクトポケット１０４は、紙幣整理装置１０内の上方に設けられており、リジェクトポケット１０４に格納された紙幣を、操作者が容易に回収することが可能である。
【００２２】
（オープンポケット１０６）
オープンポケット１０６は、本実施形態における施封対象外紙幣格納部の一例である。鑑別部１０２による鑑別結果が、リジェクトポケット１０４への搬送対象外で、かつ、予め紙幣整理装置１０における施封対象もしくは後述する集積部１１０に集積される集積対象と定められている券種に該当しない場合には、鑑別され、搬送された紙幣は、オープンポケット１０６に格納される。オープンポケット１０６に格納される紙幣としては、例えば、予め施封対象と定められている券種が国内紙幣と定められている場合には、海外紙幣がその一例として挙げられる。また、オープンポケット１０６は、図１に示した例においては、紙幣整理装置１０内の上方に設けられており、格納された紙幣を操作者が容易に回収することが可能である。なお、図１においては、オープンポケット１０６が２つ設けられているが、本実施形態においては、オープンポケット１０６の数が２つに限定されるものではなく、１つ以上あればよい。
【００２３】
（表裏反転部１０８）
表裏反転部１０８は、例えば、搬送された紙幣のうち裏面が上になっている紙幣に関して、表裏を反転する部位である。このようにすることで、紙幣は、表面が上になる状態で各集積部１１０に集積されることができる。なお、本実施形態においては、表裏反転部１０８は、裏面が上になっている紙幣に対して反転する動作を行うことに限定されるものではなく、逆に、表面が上になっている紙幣に対して反転する動作を行ってもよい。そして、表裏反転部１０８は、基本的には、搬送先が各集積部１１０である紙幣だけが搬送される。
【００２４】
（集積部１１０）
各集積部１１０は、基本的には、鑑別部１０２による鑑別結果が予め施封対象と定められている券種に該当する場合に、鑑別部１０２により鑑別された紙幣が搬送され、かつ、搬送された紙幣を金種ごと（もしくは、券種ごと）に、集積する部位である。各集積部１１０は、例えば操作者側に設けられた扉１２８を開けることによって、操作者によって引き出されることができる。扉１２８には、電磁ロック等の施錠機構（図示省略）及び扉１２８の開閉を検知する開閉センサ（図示省略）が設けられており、後述の制御部１２６が、施錠機構及び開閉センサを制御することにより、扉１２８の施錠を制御し、操作者による扉１２８の開閉を検知することができる。また、各集積部１１０は、予め定められた施封枚数（例えば１００枚）まで紙幣を集積することが可能である。そして、各集積部１１０に集積されている紙幣の枚数が施封枚数に達した場合であって、集積された紙幣の券種が施封するように設定された券種である場合には、集積されている紙幣は全て移送部１１２に搬送される。なお、図１の例においては、紙幣整理装置１０内の下方に、５個の集積部１１０が縦一列に設けられているが、本実施形態においては、５個の集積部１１０に限定されるものではなく、集積部１１０は、紙幣整理装置１０内に少なくとも２個以上設けられていればよい。
【００２５】
また、各集積部１１０には、集積された紙幣の容量を検知するための集積部用検知部（図示省略）が設けられている。集積部用検知部は、例えば光学式センサであることができ、集積部１１０に集積された紙幣によって光が遮られることにより集積された紙幣の容量を検知することができる。そして、集積部用検知部は、取得した検知結果を制御部１２６に出力する。制御部１２６は、制御部１２６へと検知結果を出力した集積部用検知部の設置位置により、どの集積部１１０に集積された紙幣の容量の検知結果であるかを認識することができ、さらに、集積部１１０における集積部用検知部の設置高さにより、その高さにまで紙幣が集積されたこと、すなわち、集積された紙幣の容量を認識することができる。具体例としては、集積部用検知部が予め定められた施封枚数（例えば１００枚）に対応する高さに設置されており、当該集積部用検知部が集積された紙幣によって光が遮られていることを検知した場合には、当該集積部用検知部の検知に基づいて、制御部１２６は、集積部１１０内に予め定められた施封枚数の紙幣が集積されていると認識することができる。
【００２６】
（移送部１１２）
移送部１１２は、各集積部１１０から搬送された施封枚数の紙幣を施封部１１４へ移送する部位である。図１においては簡略化して示しているが、移送部１１２は、紙幣整理装置１０内に設けられ、紙幣整理装置１０の内部を図１の上下方向に集積部１１０と施封部１１４との間を移動し、各集積部１１０から施封枚数（例えば、１００枚）の紙幣を、クランプ部１１２ａを用いてクランプして抜き取り、施封部１１４に受け渡す。
【００２７】
（施封部１１４）
施封部１１４は、紙幣整理装置１０内に設けられ、移送部１１２から移送された施封枚数の紙幣に対して例えばテープＴ（結束帯）を巻き付けて施封することにより、紙幣束を作成する。詳細には、図２の施封部１１４の拡大断面図に示すように、施封部１１４は、紙幣束Ｂを施封部１１４から、操作者側（図１及び図２中左側）に位置する放出口（図示省略）へ搬送するための紙幣束搬送部１３０と、紙幣束Ｂを施封するテープＴを供給するテープ供給部１４０と、テープＴを切断する切断部１４２と、テープＴで紙幣を施封する施封機構１４４と、テープＴに制御部１２６の指示に従って記録情報を記録する記録部１４６とを有する。なお、図２においては、テープＴは帯状に示されている。
【００２８】
詳細には、紙幣束搬送部１３０は、紙幣束Ｂを挟み込んで、紙幣束Ｂを放出口（図示省略）へ、すなわち操作者の側へ搬送するような搬送路１３２と、回転することによって搬送路１３２を搬送方向（図２中では矢印で示されている）へ動かすローラ１４８と、ローラ１４８を回転させるモータ（図示省略）とを主に有する。また、紙幣束搬送部１３０は、移送部１１２から施封枚数（例えば、１００枚）の紙幣を、搬送路１３２の放出口とは反対側（図２においては、搬送路１３２の右端部）で受けとり、搬送路１３２の中央部にある施封機構１４４が位置する箇所までこれらの紙幣を一括して搬送する。搬送路１３２の中央部においては、テープ供給部１４０は施封機構１４４にテープＴを供給し、施封機構１４４はこれらの紙幣を一括してテープＴで施封して、紙幣束Ｂを作成する。その際、記録部１４６はテープＴに制御部１２６の指示に従って記録情報を記録する。そして、供給されたテープＴは切断部１４２により所定の長さに切断される。
【００２９】
さらに詳細には、記録部１４６は、例えば、標識を押印する押印部であって、テープＴに、制御部１２６から指示された記録情報に対応する標識を押印することにより、テープＴに上記記録情報を記録する。なお、本実施形態においては、当該記録情報は、施封された紙幣に関する情報であることができ、特に限定されるものではない。より具体的には、当該記録情報には、紙幣の整理処理を行った金融機関の名称、紙幣束に損券が含まれている旨を示すような紙幣束の状態情報、紙幣の整理処理に係る整理番号等を含むことができる。したがって、当該記録情報に対応する標識とは、各金融機関名に対応する標識番号又は標識文字、紙幣束に損券が含まれている旨を示す損券標識（例えば、テープＴに押印される「損券」又は「損」）、整理番号であることができる。なお、以下に説明する記録部１４６は、テープＴに標識を押印することによって、テープＴに上記記録情報を記録するものとして説明するが、本実施形態においては、記録情報の記録は、このような標識の押印に限定するものではない。例えば、記録部１４６は、テープＴに上記記録情報又は当該記録情報に対応する文字等をプリントしてもよく、もしくは、テープＴに磁気又は電気的記録が可能な記録媒体が搭載されている場合には、これらの記録媒体に上記記録情報を磁気的に又は電気的に記録してもよい。
【００３０】
（搬送部１１６）
搬送部１１６は、紙幣を各集積部１１０等の搬送先へ搬送する。詳細には、搬送部１１６は、図１中では帯状に示され、取込部１００から、鑑別部１０２及び表裏反転部１０８を貫き、集積部１１０等まで連続して設けられ、紙幣が搬送される搬送路（図示省略）と、複数のローラ（図示省略）と、紙幣を案内する複数の切替部（図示省略）とを有する。各ローラは、搬送路を挟んで対向するように配置され、制御部１２６により制御され各ローラが回転することにより、搬送路が所定の方向に移動し、紙幣を搬送することができる。さらに、搬送路に接して設けられた楔形形状の切替部の傾斜方向を変化させることで、紙幣の搬送方向を切り替えることができる。
【００３１】
（操作表示部１１８）
操作表示部１１８は、本実施形態における表示部の一例である。操作表示部１１８は、図１においては、紙幣整理装置１０の上に位置し、操作者と向かい合う。さらに、操作表示部１１８は、紙幣整理装置１０の操作者に対して操作画面等を表示する表示部、及び操作者の操作を受け付ける操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。操作表示部１１８は、後述する制御部１２６の制御に従って、各種の操作画面、計数結果やエラーメッセージなどを表示し、例えば、紙幣の券種ごとに上記記録情報を設定する操作者の設定操作のような、操作者による紙幣整理装置１０に対する各種の入力操作を受け付け、受け付けた内容を制御部１２６に出力する。なお、操作表示部１１８の操作部と表示部とは、上述のように、操作機能と表示機能の両方の機能を包含する操作表示部として構成されることに限定されるものではなく、例えば、操作部であるキーボードと表示部であるＣＲＴディスプレイ装置との組み合わせのように、別体のものとして構成されていてもよく、さらに、操作機能及び表示機能を有する各部位又は単一の部位が紙幣整理装置１０の外部に位置していてもよい。
【００３２】
（操作部１２０）
操作部１２０は、本実施形態における操作部の一例である。操作部１２０は、図１においては、紙幣整理装置１０の上に位置する。操作部１２０には、例えば、紙幣整理装置１０を起動させる機械式ボタン（図示省略）、紙幣整理装置１０に障害が生じた場合に紙幣整理装置１０を再稼働させる機械式のリセットボタン（図示省略）等を含むことができる。また、操作部１２０には、紙幣整理装置１０の処理状態を示すランプ（図示省略）が取り付けられており、例えば、当該ランプは、処理中には緑色に発光し、障害が発生した場合には赤色に発光することができる。なお、これらの操作部１２０の機能は、上述の操作表示部１１８によって実現してもよい。
【００３３】
（記憶部１２２）
記憶部１２２は、例えば紙幣整理装置１０内に設けられ、例えば、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）等により構成される。記憶部１２２は、例えば、制御部１２６が使用する制御プログラム、制御部１２６が用いる各種情報や鑑別部１０２による鑑別の際に用いられる情報が格納されるほか、操作者によって上述の操作表示部１１８を用いて設定された設定内容、鑑別部１０２による鑑別結果、計数結果および鑑別された紙幣に関する処理状況が紙幣に対応づけて記憶される。より具体的には、記憶部１２２に記憶される鑑別結果としては、紙幣の金種、紙幣の正損状態、紙幣の表裏、搬送先等が挙げられる。ここで、表裏とは、鑑別時における該当の紙幣の表裏の向きのことであり、搬送先とは、該当の紙幣が搬送される格納先のことである。なお、記憶部１２２は、紙幣整理装置１０の外部に設けられ、紙幣整理装置１０と通信ネットワークで接続されていてもよい。
【００３４】
（外部インターフェース部１２４）
外部インターフェース部１２４は、例えば紙幣整理装置１０内に設けられ、例えば通信ネットワークを介して外部装置との間で通信を行う通信インターフェースである。具体的には、外部インターフェース部１２４は、外部装置からの指示を受け取ったり、外部装置へ情報を通信したりすることができる。なお、外部インターフェース部１２４は、紙幣整理装置１０の外部に設けられ、紙幣整理装置１０と通信ネットワークで接続されていてもよい。
【００３５】
（制御部１２６）
制御部１２６は、例えば紙幣整理装置１０内に設けられ、ＣＰＵ（Ｃｅｎｔｒａｌ  Ｐｒｏｃｅｓｓｉｎｇ  Ｕｎｉｔ）を中心に構成されており、計数処理等の種々の処理のための制御を行うことができる。詳細には、図３に示す、紙幣整理装置１０における制御系のブロック図のように、制御部１２６は、操作表示部１１８からの入力や外部インターフェース部１２４が受け入れた外部装置（例えば、制御端末）からの情報に基づいて、記憶部１２２から所定のプログラムを読み出して実行することにより、操作表示部１１８、鑑別部１０２等の紙幣整理装置１０の各所を制御することができる。また、制御部１２６は、鑑別部１０２による紙幣の鑑別結果に基づいて、紙幣の金種ごと、あるいは券種ごとに紙幣を計数したり、紙幣の搬送先を決定したりすることができる。さらに、制御部１２６は、操作者によって上述の操作表示部１１８を用いて設定された設定内容と、鑑別部１０２による鑑別結果とに基づいて、上述の記録部１４６に対して紙幣束のテープＴに記録する記録情報を指示することができる。
【００３６】
なお、第１の実施形態に係る紙幣整理装置１０においては、図１に図示されていないが、検知部を紙幣整理装置１０内の搬送部１１６の各所に複数設けてもよい。検知部は、搬送部１１６における紙幣の搬送状態を検知し、得られた検知結果を制御部１２６に出力する。例えば、検知部としては、紙幣により光が遮られることにより搬送状態を検知する受発光センサからなる光学式センサ等を用いることができる。
【００３７】
＜処理フロー＞
以上、本実施形態にかかる紙幣整理装置１０の構成について説明した。次に、本実施形態にかかる処理のフローを説明する。この本実施形態の処理フローにおいては、例えば、紙幣の券種ごとに、紙幣束のテープＴに記録する記録情報を設定することができる。本実施形態によれば、紙幣整理装置１０において、券種ごとに紙幣束のテープＴに記録する記録情報を設定することができることから、操作者に対して高い利便性を提供することができる。
【００３８】
以下に説明する第１の実施形態においては、その一例として、操作者が、正券の紙幣束（正券のみを施封して作成した紙幣束）のテープＴには、損券標識の押印を行わないことを選択し、損券の紙幣束（損券のみを施封して作成した紙幣束）のテープＴには損券標識の押印を行うことを選択し、指定券の紙幣束（正券及び損券の両方が混在する状態で複数の紙幣を施封して作成した紙幣束）のテープＴについては、金種ごとに損券標識の押印を行うか否かを選択する（具体的には、操作者は、旧券の五千円券の指定券の紙幣束のテープＴには損券標識の押印を行わないことを選択し、旧券の一万円券の指定券の紙幣束のテープＴには損券標識の押印を行うことを選択する）例を説明する。さらに、以下の例では、操作者が、いずれの金種、正損状態（正券の紙幣束、損券の紙幣束、及び指定券の紙幣束）であっても、その紙幣束のテープＴに、処理を行った金融機関名に対応する標識を押印することを選択した場合とする。なお、本実施形態においては、上述の例に限定されるものではなく、例えば、操作者は、正券の紙幣束に正券の紙幣束である旨を示す標識を押印することを選択してもよく、もしくは、金融機関名に対応する標識の押印を行うことを選択しなくてもよい。
【００３９】
この第１の実施形態にかかる処理方法について、図４から図６を参照して説明する。図４は、本実施形態に係る処理方法のフローチャート図であり、この図４のフローチャート図には、ステップＳ１０１からステップＳ１２１までが含まれる。また、図５及び図６は、本実施形態に係る操作画面５０及び６０の一例を説明する説明図である。
【００４０】
（ステップＳ１０１）
操作者によって紙幣整理装置１０に電源が入れられ、紙幣整理装置１０による処理が開始されると、もしくは、操作者によって紙幣整理装置１０において新たな処理を行おうとする操作が行われた場合（例えば、操作者によって操作部１２０の機械式ボタン（図示省略）に対して操作された場合）、制御部１２６は、操作表示部１１８に、モード選択画面５０を表示するように指示する。そして、この指示に従い、操作表示部１１８はモード選択画面５０を表示する。図５に、操作表示部１１８に示されるモード選択画面５０の一例を示す。図５のモード選択画面５０は、操作者に対して、紙幣整理装置１０における所望の処理内容を選択するための入力操作を誘導する画面であり、例えば、図５に示されるように、モード選択画面５０は、操作者に対して、処理モードを選択し、さらに確認ボタンを押すことを誘導する表示と、操作者が入金処理及び整理処理のいずれかを選択するのかを入力操作するための「入金」ボタン及び「整理」ボタンとを含む。また、モード選択画面５０は、操作者が紙幣を取り込んで計数する処理を行うのか、紙幣を取り込んで計数し、さらに施封する処理を行うのかを選択する入力操作をするための「計数」ボタン及び「施封」ボタンと、操作者が券種ごとに施封するか否かを設定する操作を行うための「券種選択」ボタンとを含む。
【００４１】
さらに、例えば、モード選択画面５０には、図５に示すように、「券種選択」ボタンの下に、操作者が施封することを既に設定した券種の一覧を表示する欄「施封券種」が設けられており、図５の例においては、「施封券種」の１番の上の行には「現行万（正券）」、上から２番目の行には「現行万（損券）」、上から３番目の行には「旧五千（指定）」、上から４番目の行には「旧万（指定（損））」と表示されている。「施封券種」のこれらの表示は、上から、現行券の一万円券の正券の紙幣束を施封することが設定された旨、現行券の一万円券の損券の紙幣束を施封することが設定された旨、旧券の五千円券の指定券の紙幣束を施封することが設定された旨、及び旧券の一万円券の指定券の紙幣束を施封することが設定された旨を示す。また、上から１番目の行の「（正券）」及び２番目の行の「（損券）」の表示は、正券の紙幣束のテープＴに金融機関名に対応する標識のみを押印することが設定された旨、損券の紙幣束のテープＴに金融機関名に対応する標識とともに紙幣束に損券が含まれていることを示す損券標識を押印することが設定された旨を示す。さらに、上から３番目の行の「（指定）」は、係る金種（旧券の五千円券）の指定券の紙幣束のテープＴに損券標識を押印しないことが設定された旨を示し、上から４番目の行の「（指定（損））」は、係る金種（旧券の一万円券）の指定券の紙幣束のテープＴに損券標識を押印することが設定された旨を示す。
【００４２】
なお、本実施形態においては、モード選択画面５０は、操作表示部１１８に表示された設定内容を操作者が確認したことを紙幣整理装置１０へ通知するための「確認」ボタンと、操作者が設定内容を取り消すための「取消」ボタンとを含んでもよく、さらに他のボタン等を含んでもよい。すなわち、本実施形態においては、モード選択画面５０は、図５に示される画面に限定されない。そして、操作者は、モード選択画面５０の誘導に従って、モード選択画面５０に対して操作を行うこととなる。次いで、ステップＳ１０３へ進む。
【００４３】
（ステップＳ１０３）
制御部１２６は、操作表示部１１８の出力に基づいて、操作者により整理処理及び施封処理が選択され、且つ、施封する券種の選択を所望する操作を行ったか否かを判断する。具体的には、制御部１２６は、操作者により、モード選択画面５０の「整理」ボタン及び「施封」ボタンに対して操作が行われ、且つ、モード選択画面５０の「券種選択」ボタンに対して操作が行われたか否かを判断する。制御部１２６が、操作者により、整理処理及び施封処理が選択され、且つ、施封する券種の選択を所望する操作が行われたと判断した場合には、ステップＳ１０５へ進む。一方、制御部１２６により上述のような判断が行われない場合には、ステップＳ１０１へ戻る。なお、制御部１２６は、操作表示部１１８の出力に基づいて、操作者が他の処理を所望していることを検知した場合（例えば、操作者が入金処理及び計数処理を選択する操作を行った場合）には、操作者が所望する処理を行うための図４には図示しないステップに進んでもよい。また、制御部１２６が、操作表示部１１８の出力に基づいて、操作者により整理処理及び施封処理が選択されたと判断したにもかかわらず、施封する券種の選択を所望する操作が行われていないと判断した場合には、制御部１２６は、操作者に対して施封する券種の選択を所望する操作を誘導するような表示を行うように、操作表示部１１８に指示してもよい。
【００４４】
（ステップＳ１０５）
制御部１２６は、操作表示部１１８に、施封券種選択画面６０を表示するように指示する。そして、この指示に従い、操作表示部１１８は施封券種選択画面６０を表示する。図６に、操作表示部１１８に示される施封券種選択画面６０の一例を示す。図６の施封券種選択画面６０は、操作者に対して、施封を所望する券種を選択するための入力操作を誘導する画面であり、さらに、施封する券種（金種、正損状態）を選択するだけでなく、施封する際の紙幣束のテープＴにどのような標識を押印するかを指定する入力操作を誘導する画面である。例えば、図６に示されるように、施封券種選択画面６０は、操作者に対して施封する金種を選択するように誘導する表示と、施封する紙幣が旧券か現行券かを指定する「旧券」ボタン及び「現行券」ボタンとを含む。さらに、施封券種選択画面６０は、施封する紙幣の金種を指定する「万」ボタン、「五千」ボタン、「二千」ボタン、及び「千」ボタンを含む。具体的には、操作者は、現行券の一万円券を施封したい場合には、「現行券」ボタン及び「万」ボタンに対して操作を行い、旧券の五千円券を施封したい場合には、「旧券」ボタン及び「五千」ボタンに対して操作を行う。
【００４５】
さらに、操作者が、金種だけでなく、紙幣の正損状態ごと（正券、損券、指定券）に施封をするか否かを選択し、さらに、施封する際に用いるテープＴにどのような標識を押印するか否かを設定するために、施封券種選択画面６０は、例えば、「正券」ボタン、「損券」ボタン、「指定」ボタン、及び「指定（損）」ボタンを含む。具体的には、「正券」ボタンは、当該ボタンが操作者によって操作されることにより、正券の紙幣束を施封するように紙幣整理装置１０を設定し、さらに、正券の紙幣束のテープＴには金融機関名に対応する標識のみを押印するように紙幣整理装置１０を設定する。「損券」ボタンは、当該ボタンが操作者によって操作されることにより、損券の紙幣束を施封するように紙幣整理装置１０を設定し、さらに、損券の紙幣束のテープＴには、金融機関名に対応する標識とともに、当該紙幣束に損券が含まれている旨を示す損券標識を押印するように紙幣整理装置１０を設定する。「指定」ボタンは、当該ボタンが操作者によって操作されることにより、指定券の紙幣束を施封するように紙幣整理装置１０を設定し、さらに、指定券の紙幣束のテープＴには金融機関名に対応する標識のみを押印するように紙幣整理装置１０を設定する。また、「指定（損）」ボタンは、当該ボタンが操作者によって操作されることにより、指定券の紙幣束を施封するように紙幣整理装置１０を設定し、さらに、当該指定券の紙幣束のテープＴには、金融機関名に対応する標識とともに、損券標識を押印するように紙幣整理装置１０を設定する。
【００４６】
また、例えば、施封券種選択画面６０には、図６に示すように、施封券種選択画面６０の下側に位置する「券種指定欄」には、操作者が施封することを選択設定した券種の一覧が表示され、図６の例においては、「券種指定欄」の１番の上の行には「現行万（正券）」、上から２番目の行には「現行万（損券）」、上から３番目の行には「旧五千（指定）」、上から４番目の行には「旧万（指定（損））」と表示されている。なお、「券種指定欄」のこれらの表示が意味する内容については、図５のモード選択画面５０の「施封券種」の欄と同様であるため、ここでは説明を省略する。また、「券種指定欄」の各行には、「クリア」ボタンが設けられており、操作者により「クリア」ボタンが操作されることにより、「クリア」ボタンに対応する行の設定内容を取り消すことができる。
【００４７】
そして、施封券種選択画面６０は、例えば、設定内容を操作者が確認したことを紙幣整理装置１０へ通知するための「確認」ボタンと、操作者が設定した内容を全て取り消す「全クリア」ボタンとを含む。しかしながら、本実施形態においては、施封券種選択画面６０は、図６に示される画面に限定されることはなく、さらなる他のボタンを含んでもよい。このような施封券種選択画面６０の誘導に従って、操作者は、施封券種選択画面６０に対して、施封券種の設定及び標識押印の設定のための操作を行う。そして、操作者は、設定した設定内容（施封券種の設定及び標識押印設定の内容）の確認を完了した場合には、施封券種選択画面６０の「確認」ボタンに対して操作を行い、設定内容を操作者が確認したことを紙幣整理装置１０へ通知する。次いで、当該通知に基づき、ステップＳ１０７へ進む。なお、制御部１２６は、操作者が施封券種選択画面６０の「確認」ボタンに対して操作を行ったことに基づき、操作表示部１１８に対して、モード選択画面５０を再度表示させるように指示してもよい。この場合、操作者は、モード選択画面５０の表示を通じて設定内容の確認を行い、確認を完了した場合には、モード選択画面５０の「確認」ボタンに対して操作を行い、設定内容を操作者が確認したことを紙幣整理装置１０へ通知する。そして、当該通知に基づき、ステップＳ１０７へ進む。
【００４８】
（ステップＳ１０７）
制御部１２６は、ステップＳ１０５において操作者によって設定された設定内容を記憶するように、記憶部１２２に指示する。そして、この指示に従い、記憶部１２２は設定内容を記憶する。次いで、ステップＳ１０９に進む。
【００４９】
（ステップＳ１０９）
制御部１２６は、紙幣整理処理を開始する。すなわち、制御部１２６は、取込部１００に対して紙幣を取り込むように指示を行う。そして、この指示に従い、取込部１００は紙幣の取り込みを開始する。次いで、ステップＳ１１１へ進む。
【００５０】
（ステップＳ１１１）
制御部１２６は、取込部１００によって取り込まれた紙幣を鑑別部１０２へ搬送するように搬送部１１６に指示する。この指示に従い、搬送部１１６は紙幣を鑑別部１０２へ搬送する。そして、鑑別部１０２は、搬送部１１６によって搬送された紙幣の金種、正損状態、搬送状態（紙幣の表側がどちらを向いているか）等を鑑別し、鑑別結果を制御部１２６に出力する。制御部１２６は、鑑別結果に基づいて、紙幣の搬送先（例えば集積部１１０）を決定する。そして、制御部１２６は、紙幣を決定した搬送先に搬送するように搬送部１１６に指示し、この指示に従い、搬送部１１６は紙幣を決定した搬送先に搬送する。この際、記憶部１２２は、各紙幣の鑑別結果及び決定された搬送先を、当該紙幣と紐づけて記憶する。さらに、決定された搬送先である集積部１１０等は、搬送された紙幣を集積する。次いで、ステップＳ１１３へ進む。
【００５１】
（ステップＳ１１３）
制御部１２６は、集積部１１０に設けられた集積部用検知部（図示省略）の出力に基づいて、集積部１１０に施封枚数（例えば１００枚）の紙幣が集積したか否かを判断する。集積部１１０に施封枚数の紙幣が集積されていると判断した場合には、ステップＳ１１５へ進む。集積部１１０に施封枚数の紙幣が集積されていないと判断した場合には、ステップＳ１１１へ戻る。
【００５２】
（ステップＳ１１５）
制御部１２６は、記憶部１２２に記録された設定内容及び鑑別結果を参照して、施封枚数の紙幣を集積した集積部１１０内の紙幣が、施封するように設定された券種の紙幣であるか否かを判断する。施封するように設定された券種の紙幣である場合には、ステップＳ１１７へ進む。一方、施封しないように設定された券種の紙幣である場合には、ステップＳ１２１へ進む。
【００５３】
（ステップＳ１１７）
制御部１２６は、集積された施封枚数の紙幣を施封部１１４へ移送するように移送部１１２に指示する。この際、制御部１２６は、記憶部１２２に記録された標識押印設定を参照して、テープＴに押印する標識を記録部１４６に指示する。詳細には、集積された施封枚数の紙幣が正券の紙幣束であった場合には、制御部１２６は、記録部１４６に対して、金融機関名に対応する標識を押印するように指示する。また、集積された施封枚数の紙幣が損券の紙幣束であった場合には、制御部１２６は、記録部１４６に対して、金融機関名に対応する標識とともに損券標識を押印するように指示する。また、集積された施封枚数の紙幣が指定券の紙幣束であった場合には、制御部１２６は、記録部１４６に対して、記憶部１２２に記録された標識押印設定を参照し、集積された施封枚数の紙幣の金種に応じて、金融機関名に対応する標識を押印するように指示する、もしくは、金融機関名に対応する標識とともに損券標識を押印するように指示する。より具体的には、制御部１２６は、記録部１４６に対して、集積された施封枚数の紙幣が旧券の五千円券の指定券であった場合には、金融機関名に対応する標識を押印するように指示する。また、制御部１２６は、記録部１４６に対して、集積された施封枚数の紙幣が旧券の一万円券の指定券であった場合には、金融機関名に対応する標識とともに損券標識を押印するように指示する。次いで、ステップＳ１１９へ進む。
【００５４】
（ステップＳ１１９）
記録部１４６は、テープＴに、制御部１２６からの指示内容に応じた標識を押印する。さらに、施封部１１４の施封機構１４４は、標識を押印したテープＴを用いて、移送された施封枚数の紙幣を施封して、紙幣束を作成する。さらに、施封部１１４は、施封した紙幣束を紙幣整理装置１０の外部へと排出する。なお、上記の説明においては、標識を押印したテープＴを用いて施封枚数の紙幣を施封するように説明したが、本実施形態においては、これに限定されるものではなく、施封枚数の紙幣をテープＴで施封した後に、当該テープＴに標識を押印してもよい。次いで、ステップＳ１２１へ進む。
【００５５】
（ステップＳ１２１）
制御部１２６は、取込部１００に設けられたセンサ（図示省略）の出力に基づいて、取込部１００に投入された全ての紙幣の処理が完了したかを判断する。処理が完了した場合には、本実施形態の処理を終了する。一方、処理が終了していない場合には、ステップＳ１１１へ戻る。
【００５６】
ところで、紙幣整理装置での処理においては、操作者が、紙幣の金種ごとに正券と損券とを分けて集積部等に集積し、さらに、紙幣の金種に関わらず、正券の紙幣束のテープＴには上記損券標識の押印を行わず、損券の紙幣束のテープＴには上記損券標識の押印を行うことが所望する場合がある。すなわち、操作者が、紙幣の正損状態に応じて、損券標識の押印の有無を選択することを所望する場合がある。この場合には、操作者は、損券の紙幣束のテープＴには、金種に関わらず損券標識を押印するように設定する操作を行う。そして、このような操作により損券標識が押印された紙幣束（損券の紙幣束）については、今後流通させる紙幣としては不適格であるとみなされ、操作者等により銀行に持ち込まれ、新しい紙幣、すなわち、完封券に洗い替えられる。
【００５７】
ここで、操作者が、一部の金種の紙幣については、紙幣の流通過程で汚れてしまったため、完封券に洗い替えることを所望する場合を考える。より具体的には、操作者は、ある金種について完封券に洗い替えることを所望し、さらに、操作者は、ある金種の紙幣を全て完封券に変えるのではなく、ある金種のうち、一部の紙幣束（正券の紙幣束）を操作者の手元に残し（例えば、新たに完封券を入手するまでの間の顧客へのお釣り等として）、残りの紙幣束（損券の紙幣束及び指定券の指定束）を完封券に変えることを所望する場合を考える。このような場合、操作者は、紙幣整理装置に対して、紙幣の正損状態に関係なく、金種ごとに集積部に紙幣を集積し、金種ごとに所定の数の紙幣を施封して紙幣束を形成する（すなわち、正券の紙幣束、損券の紙幣束、及び指定券の紙幣束の３種類の紙幣束を作成する）ことを望むこととなる。さらに、操作者は、紙幣整理装置に対して、完封券に洗い替えようとする金種については、正券の紙幣束のテープＴには損券標識の押印を行わず、損券の紙幣束のテープＴには損券標識の押印を行い、さらに、指定券の紙幣束のテープＴには損券標識の押印を行うことを望むこととなる。従来の紙幣整理装置においては、紙幣の金種に関わらず、紙幣の正損状態に応じてのみ、すなわち、紙幣束に損券が含まれていればテープＴに損券標識を押印するように設定されるため、操作者が１回の設定を行うだけでは、上述の操作者の望みに対処することができない。そこで、操作者は、従来の紙幣整理装置においては、処理中であっても、施封を行おうとする指定券の紙幣束の金種が切り替わるたびに、操作者は損券標識を押印するか否かを選択する設定操作を行うこととなる（すなわち、操作者は、完封券に変えようとする金種の指定券であれば、損券標識を押印するように設定操作を行い、その他の金種の指定券であれば、損券標識を押印しないように設定操作を行うことを繰り返す）。したがって、操作者が処理中に上記設定操作を何度も行うこととなるため、従来の紙幣整理装置は、上述の望みを持った操作者にとっては、すなわち、金種ごとに（券種ごとに）押印する標識を設定したい、もしくは、金種ごとに（券種ごとに）標識を押印するか否かを設定したい操作者にとっては、運用上の利便性が悪い。
【００５８】
それに対して、本実施形態においては、金種ごとに（券種ごとに）紙幣束のテープＴに記録する記録情報を設定することができ、より具体的には、金種ごとに（券種ごとに）紙幣束のテープＴに押印する標識を設定したい、もしくは、金種ごとに（券種ごとに）紙幣束のテープＴに標識（損券標識）を押印するか否かを設定することができる（すなわち、本実施形態においては、操作者は、一度の設定操作で、完封券に変えようとする金種の指定券に対して損券標識を押印するように設定し、その他の金種の指定券に対しては損券標識を押印しないように設定することができる）。したがって、本実施形態によれば、処理中に操作者が何度も設定操作を行うことがないため、操作者に対して高い利便性を提供することができる。特に、上述の操作者の所望のように、正券及び損券の両方が混在する状態である指定券の紙幣束において、当該指定券の紙幣束の金種ごとに紙幣束のテープＴに標識を押印するか否かを設定したい場合には、本実施形態に係る紙幣整理装置１０により、高い利便性を提供することができる。
【００５９】
なお、上述の説明においては、施封券種の設定、及び、テープＴに押印するための標識押印設定については、紙幣の処理を行う直前に、操作者がこれから行おうとする処理についてのモードの設定を行うモード設定操作（例えば、処理を行おうとするごとに、処理の前に操作者が行う設定操作）とともに行うものとして説明したが、本実施形態は、これに限定されるものではない。例えば、紙幣整理装置１０に電源を入れて、次に電源を落とすまでに行われる処理に共通する紙幣整理装置１０の初期設定を設定するために行う初期設定操作（例えば、電源を入れた直後に操作者が行う設定操作であり、電源を落とさない限りは、処理を行おうとするたびに行う必要がない設定操作）の１つとして、施封券種設定及び標識押印設定が行われてもよい。しかしながら、操作者の便宜を考えると、施封券種設定及び標識押印設定は、上述のモード設定とともに行われることが好ましい。
【００６０】
＜＜第２の実施形態＞＞
これまで説明した第１の実施形態においては、指定券の紙幣束については、損券を１枚でも含んでいれば、当該紙幣束のテープＴに損券標識を押印するように設定される。それに対して、以下に説明する第２の実施形態においては、所定の枚数以上の損券を含んでいる場合に指定券の紙幣束のテープＴに損券標識を押印するように設定することができる。したがって、本実施形態によれば、指定券の含む損券の枚数に応じて、指定券のテープＴに損券標識を押印することを選択することができ、操作者の利便性がより向上する。
【００６１】
なお、以下に説明する第２の実施形態においては、説明の便宜上、操作者が、いずれの金種、正損状態（正券の紙幣束、損券の紙幣束、及び指定券の紙幣束）であってもその紙幣束のテープＴに、処理を行った金融機関の名前に対応する標識を押印しないことを選択した場合の例を説明する。すなわち、以下に説明する例においては、操作者は、正券の紙幣束のテープＴには、損券標識の押印を行わないことを選択し、損券の紙幣束のテープＴには損券標識の押印を行うことを選択し、指定券の紙幣束のテープＴについては、金種ごとに損券標識の押印を行うか否かを選択し、さらに、指定券の紙幣束のテープＴに損券標識を押印する場合であっても、当該指定券の紙幣束に含まれる損券の枚数に応じて、損券標識の押印を行うか否かを選択する。なお、本実施形態においては、上述の例に限定されるものではなく、例えば、操作者は、正券の紙幣束に正券の紙幣束である旨を示す標識を押印することを選択してもよく、もしくは、金融機関名に対応する標識の押印を行うことを選択してもよい。
【００６２】
なお、第２の実施形態において、紙幣整理装置１０については、第１の実施形態と共通であり、第１の実施形態の紙幣整理装置１０の説明及び説明図である図１から図３を参照し得る。したがって、ここでは、本実施形態に係る紙幣整理装置１０についての説明を省略する。
【００６３】
次に、紙幣整理装置１０を用いた第２の実施形態にかかる処理方法について、図７から図９を参照して説明する。図７から図８は、本実施形態に係る処理方法のフローチャート図である。具体的には、図７のフローチャート図には、ステップＳ２０１からステップＳ２１５までが含まれる。図８のフローチャート図には、図７のステップＳ２１５の後に行われるステップＳ２１７からステップＳ２３１までが含まれる。また、図９は、本実施形態に係る操作画面７０の一例を説明する説明図である。
【００６４】
詳細には、本実施形態は、全体でステップＳ２０１からステップＳ２３１までを含み、詳細には、本実施形態の図７のステップＳ２０１からステップＳ２０３までは、第１の実施形態の図４のステップＳ１０１からステップＳ１０３までと共通し、本実施形態の図７のステップＳ２０７からステップＳ２１５までは、第１の実施形態の図４のステップＳ１０７からステップＳ１１５までと共通する。さらに、本実施形態の図８のステップＳ２３１は、第１の実施形態の図４のステップＳ１２１と共通する。そのため、ここでは、これらの共通するステップの説明については省略する。
【００６５】
（ステップＳ２０５）
制御部１２６は、操作表示部１１８に、第１の実施形態と同様に、図６に示すような施封券種選択画面６０を表示するように指示する。そして、この指示に従い、操作表示部１１８は施封券種選択画面６０を表示する。さらに、操作者は、第１の実施形態と同様に、施封券種選択画面６０に対して操作を行うこととなる。ただし、本実施形態においては、第１の実施形態と異なり、操作者が施封券種選択画面６０の「指定（損）」ボタンに対して操作した場合には、損券の設定枚数を入力するための入力画面８０が、操作表示部１１８に表示される。この損券の設定枚数を入力するための入力画面８０は、操作者が、指定券の紙幣束のテープＴに損券標識を押印する場合に当該紙幣束に含まれる損券の最低枚数を設定するための画面であり、したがって、操作者が設定した損券設定枚数以上の損券を含む指定券の紙幣束に対しては、そのテープＴに損券標識が押印されることとなり、一方、損券設定枚数未満の損券を含む指定券の紙幣束に対しては、そのテープＴに損券標識が押印されないこととなる。
【００６６】
この損券設定枚数を入力するための入力画面８０が表示された場合の施封券種選択画面７０の一例を図９に示す。詳細には、損券設定枚数を入力するための入力画面８０は、図６に示す施封券種選択画面６０に重なるように表示され、損券設定枚数を入力するための入力画面８０の上段には、操作者に対して損券設定枚数の設定を誘導する表示と、操作者によって入力された数値を表示する欄とが設けられている。さらに、損券設定枚数を入力するための入力画面８０の下段には、枚数を入力するための各数字のキーボタン、操作者が入力した数値を確認したことを紙幣整理装置１０に対して通知するための「確認」ボタン、及び、操作者が入力した数値を取り消すための「取消」ボタンが設けられている。なお、本実施形態においては、この損券設定枚数を入力するための入力画面８０が表示された場合の施封券種選択画面７０は、図９に示される画面に限定されることはなく、他の態様であってもよい。そして、操作者は、指定券の紙幣束のテープＴに損券標識を押印する場合の当該紙幣束に含まれる損券の最低枚数の設定を行い、設定した設定内容の確認を完了した場合には、入力画面８０の「確認」ボタンに対して操作を行い、設定内容を操作者が確認したことを紙幣整理装置１０へ通知する。次いで、当該通知に基づき、ステップＳ２０７へ進む。なお、制御部１２６は、操作者が入力画面８０の「確認」ボタンに対して操作を行ったことに基づき、操作表示部１１８に、入力画面８０を消去して、図６の施封券種選択画面６０を再度表示させるように指示してもよい。この場合、操作者は、施封券種選択画面６０の表示を通じて設定内容の確認を行い、確認を完了した場合には、施封券種選択画面６０の「確認」ボタンに対して操作を行い、設定内容を操作者が確認したことを紙幣整理装置１０へ通知する。そして、当該通知に基づき、ステップＳ２０７へ進む。
【００６７】
（ステップＳ２１５）
制御部１２６は、記憶部１２２に記憶された施封券種設定及び鑑別結果を参照して、施封枚数の紙幣を集積した集積部１１０内の紙幣が、施封するように設定された金種の紙幣であるか否かを判断する。施封するように設定された金種の紙幣である場合には、図８のステップＳ２１７へ進む。一方、施封しないように設定された金種の紙幣である場合には、図８のステップＳ２３１へ進む。
【００６８】
（ステップＳ２１７）
制御部１２６は、記憶部１２２に記録された鑑定結果を参照して、施封枚数の紙幣を集積した集積部１１０内の紙幣が全て正券であるか否かを判断する。全て正券であれば、ステップＳ２１９へ進む。一方、正券以外の紙幣を含む場合には、ステップＳ２２３へ進む。
【００６９】
（ステップＳ２１９）
制御部１２６は、集積された施封枚数の紙幣を施封部１１４へ移送するように移送部１１２に指示する。次いで、ステップＳ２２１へ進む。
【００７０】
（ステップＳ２２１）
施封部１１４は、制御部１２６からの指示に従い、移送された施封枚数の紙幣をテープＴで施封して、紙幣束を作成する。さらに、施封部１１４は、施封した紙幣束を紙幣整理装置１０の外部へと排出する。なお、この際、施封枚数の紙幣を施封するテープＴには、損券標識が押印されていない。次いで、ステップＳ２３１へ進む。
【００７１】
（ステップＳ２２３）
制御部１２６は、記憶部１２２に記録された鑑定結果を参照して、施封枚数の紙幣を集積した集積部１１０内の紙幣が全て損券であるか否かを判断する。全て損券であれば、ステップＳ２２７へ進む。一方、損券以外の紙幣を含む場合、すなわち正券及び損券の両方を含む指定券である場合には、ステップＳ２２５へ進む。
【００７２】
（ステップＳ２２５）
制御部１２６は、記憶部１２２に記録された標識押印設定及び損券標識を押印する場合の当該紙幣束に含まれる損券の最低枚数の設定値（損券設定枚数）を参照して、施封枚数の紙幣を集積した集積部１１０内の指定券の紙幣束が、損券標識を押印するように設定された金種であるか否かを判断する。さらに、制御部１２６は、当該指定券の紙幣束が押印するように設定された金種である場合には、当該指定券の紙幣束に含まれる損券の計数枚数と、ステップＳ２０５で設定された損券設定枚数とを比較し、当該比較結果に基づいて、当該指定券の紙幣束のテープＴに損券標識を押印するか否かを判断する。詳細には、当該指定券の紙幣束が、損券標識を押印するように設定された金種でない場合には、ステップＳ２１９へ進む。当該指定券の紙幣束が、損券標識を押印するように設定された金種であって、当該指定券の紙幣束に含まれる損券の計数枚数と上記損券設定枚数とを比較して、当該計数枚数が上記損券設定枚数未満であれば、ステップＳ２１９へ進み、当該指定券の紙幣束を、損券標識を押印されていないテープＴで施封する。それに対して、当該指定券の紙幣束が、損券標識を押印するように設定された金種であって、当該指定券の紙幣束に含まれる損券の計数枚数と上記損券設定枚数とを比較して、当該計数枚数が上記損券設定枚数以上であれば、ステップＳ２２７へ進み、当該指定券の紙幣束を、損券標識を押印したテープＴで施封する。
【００７３】
（ステップＳ２２７）
制御部１２６は、集積された施封枚数の紙幣を施封部１１４へ移送するように移送部１１２に指示する。この際、制御部１２６は、記憶部１２２に記憶された標識押印設定を参照して、記憶部に対して損券標識を押印するように指示する。次いで、ステップＳ２２９へ進む。
【００７４】
（ステップＳ２２９）
記録部１４６は、テープＴに、制御部１２６からの指示内容に応じて損券標識を押印する。さらに、施封部１１４の施封機構１４４は、標識を押印したテープＴを用いて、移送された施封枚数の紙幣を施封して、紙幣束を作成する。さらに、施封部１１４は、施封した紙幣束を紙幣整理装置１０の外部へと排出する。次いで、ステップＳ２３１へ進む。
【００７５】
本実施形態においては、損券標識を押印するように設定された金種の指定券の紙幣束であって、当該指定券の紙幣束に所定の枚数（損券設定枚数）以上の損券を含んでいる場合に、当該指定券の紙幣束のテープＴに損券標識を押印するように設定することができる。すなわち、本実施形態においては、制御部１２６は、指定券の紙幣束が損券標識を押印するように設定された金種である場合には、当該指定券の紙幣束に含まれる損券の計数枚数と、損券標識を押印する場合に紙幣束に含まれる損券の最低枚数の設定値（損券設定枚数）とを比較し、当該比較結果に基づいて、当該指定券の紙幣束のテープＴに損券標識を押印するか否かを判断する。したがって、本実施形態によれば、指定券の紙幣束の含む損券の枚数に応じて、指定券の紙幣束のテープＴに損券標識を押印することを選択することができ、操作者にとって、より利便性が向上する。
【００７６】
なお、本実施形態においては、操作者によって指定券の紙幣束のテープＴに損券標識を押印する場合の当該紙幣束に含まれる損券の最低枚数を設定することに限定されるものではなく、例えば、操作者によって指定券の紙幣束のテープＴに損券標識を押印しない場合の当該紙幣束に含まれる損券の最高枚数を設定してもよく、また、操作者によって指定券の紙幣束のテープＴに損券標識を押印する場合の当該紙幣束に含まれる正券の最高枚数を設定してもよく、指定券の紙幣束のテープＴに損券標識を押印する、又は、しない場合の当該指定券の紙幣束に含まれる損券又は正券の枚数を設定するものであれば、特に限定されるものではない。
【００７７】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれるとともに、特許請求の範囲に記載された発明とその均等の範囲に含まれる。
【００７８】
また、上述した各実施形態の処理における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。
【符号の説明】
【００７９】
１０  紙幣整理装置
５０、６０、７０、８０  画面
１００  取込部
１０２  鑑別部
１０４  リジェクトポケット
１０６  オープンポケット
１０８  表裏反転部
１１０  集積部
１１２  移送部
１１２ａ  クランプ部
１１４  施封部
１１６  搬送部
１１８  操作表示部
１２０  操作部
１２２  記憶部
１２４  外部インターフェース部
１２６  制御部
１２８  扉
１３０  紙幣束搬送部
１３２  搬送路
１４０  テープ供給部
１４２  切断部
１４４  施封機構
１４６  記録部
１４８、１５０  ローラ
１５４  収納空間
１５６  ガイド
１５８  ビルプレス
Ｂ  紙幣束
Ｔ  テープ
【図１】
0006623659.tif 000002
【図２】
0006623659.tif 000003
【図３】
0006623659.tif 000004
【図４】
0006623659.tif 000005
【図５】
0006623659.tif 000006
【図６】
0006623659.tif 000007
【図７】
0006623659.tif 000008
【図８】
0006623659.tif 000009
【図９】
0006623659.tif 000010